Podtech/llm-jp-corpus-v4-ja_patent huggingface dataset:
【手続補正書】
【提出日】平成16年8月5日(2004.8.5)
【手続補正１】
【補正対象書類名】明細書
【補正対象項目名】００４０
【補正方法】変更
【補正の内容】
【００４０】
さらに、コントローラ本体部６１は、液体粘度算出機能により演算された血液粘度が第２の設定値以上になった場合に、警報信号を出力する。具体的には、コントローラ本体部６１は、粘度上昇警報ランプ８３を備えており、血液粘度が第２の設定値以下となった場合に、警報ランプ８３を点滅させるとともに、ブザー８２を鳴動させる。なお、ブザーは、上記粘度低下時に作動するものと共通のものとしている。ブザーとしては、単一音を発するもの、複数音（例えば、２種）のものいずれでもよく、特に、粘度低下警報と粘度上昇警報とを区別するために、それぞれの警報音を異なるものとすることが望ましい。また、ブザーを個々に異なる（例えば、ブザー音が異なる）ものとしてもよい。
【手続補正２】
【補正対象書類名】明細書
【補正対象項目名】００４８
【補正方法】変更
【補正の内容】
【００４８】
吐出流量制御としては、フィードバック制御を用いることができ、例えば、実行吐出流量（演算値）が設定吐出流量より少ない場合には、モータ回転数を増加させ、逆に、実行吐出流量（演算値）が設定吐出流量より多い場合には、モータ回転数を減少させることにより行われる。なお、コントローラ本体部６１は、吐出流量演算機能により演算された吐出流量と設定流量とを比較し、両者の差分に対応するポンプ回転数を演算する差分ポンプ回転数演算機能を備え、この機能より演算されたポンプ回転数を現在指示しているポンプ回転数に加減することにより制御する。
【手続補正３】
【補正対象書類名】明細書
【補正対象項目名】００５３
【補正方法】変更
【補正の内容】
【００５３】
吐出圧力制御としては、フィードバック制御を用いることができ、例えば、実行吐出圧力（演算値）が設定吐出圧力より少ない場合には、モータ回転数を増加させ、逆に、実行吐出圧力（演算値）が設定吐出圧力より多い場合には、モータ回転数を減少させることにより行われる。なお、コントローラ本体部６１は、吐出圧力演算機能により演算された吐出圧力と設定圧力とを比較し、両者の差分に対応するポンプ回転数を演算する差分ポンプ回転数演算機能を備え、この機能より演算されたポンプ回転数を現在指示しているポンプ回転数に加減することにより制御する。
【手続補正書】
【提出日】平成17年7月14日(2005.7.14)
【手続補正１】
【補正対象書類名】明細書
【補正対象項目名】特許請求の範囲
【補正方法】変更
【補正の内容】
【特許請求の範囲】
【請求項１】
ハウジングと、
先端の鋭いランセット；中心部から外に延びる少なくとも２個の角度的に離間したうねを有する、該ランセットを支持するランセット本体；ならびに該ランセットの該鋭い先端を覆い、該ランセット本体からねじりながらはずすことができるように該ランセット本体に取り付けられる保護キャップを含むランセットアセンブリと、
刺す方向に掛け止め位置と刺し位置との間で動くことができ、その中に形成された穴であって、該ランセット本体を該ランセットホルダに対していかなる角度の向きででも該穴に挿入することができるよう、円筒形であり、実質的にふさがれていないものである穴を有するランセットホルダと、
該ランセットホルダを該掛け止め位置から該刺し位置まで動かすための、該ハウジング中に配置されたアクチュエータ機構と、
該ランセット本体が、該ランセットホルダ中に形成された該穴に配置され、該保護キャップが、該ランセット本体から該保護キャップをねじりながらはずすのに十分な角度的な力を受けるとき、該ランセットホルダに対する該ランセット本体の有意な回転動を防ぐための手段と、
を含むことを特徴とする血液試料採取装置。
【請求項２】
該穴が、複数の湾曲した内面によって画定され、該防止手段が、該ランセットホルダ中に形成された複数の溝を含み、該溝それぞれが、該湾曲した内面の隣接するものどうしの対を分ける、請求項１記載の血液試料採取装置。
【請求項３】
該穴が、少なくとも四つの湾曲した内面によって画定され、該防止手段が、該ランセットホルダ中に形成された四つの溝を含み、該溝それぞれが、該湾曲した内面の隣接するものどうしの対を分ける、請求項１記載の血液試料採取装置。
【請求項４】
ハウジングと、
先端の鋭いランセット；中心部から外に延びる少なくとも２個の角度的に離間したうねを有する、該ランセットを支持するランセット本体；ならびに該ランセットの該鋭い先端を覆い、該ランセット本体からねじりながらはずすことができるように該ランセット本体に取り付けられる保護キャップを含むランセットアセンブリと、
刺す方向に掛け止め位置と刺し位置との間で動くことができ、その中に形成された穴であって、該ランセット本体を該ランセットホルダに対していかなる角度の向きででも該穴に挿入することができるよう、円筒形であり、実質的にふさがれていないものである穴を有するランセットホルダと、
該ランセットホルダを該掛け止め位置から該刺し位置まで駆動するための駆動ばねと、
該ランセットホルダを掛け止め位置に維持するための手段と、
該ランセットホルダを該掛け止め位置から解放して、該駆動ばねにより、該ランセットホルダを該掛け止め位置から該刺し位置まで駆動するための手段と、
該ランセット本体が、該ランセットホルダ中に形成された該穴に配置され、該保護キャップが、該ランセット本体から該保護キャップをねじりながらはずすのに十分な角度的な力を受けるとき、該ランセットホルダに対する該ランセット本体の有意な回転動を防ぐための手段と、
を含むことを特徴とする血液試料採取装置。
【請求項５】
該穴が、複数の湾曲した内面によって画定され、該防止手段が、該ランセットホルダ中に形成された複数の溝を含み、該溝それぞれが、該湾曲した内面の隣接するものどうしの対を分ける、請求項４記載の血液試料採取装置。
【請求項６】
該穴が、少なくとも四つの湾曲した内面によって画定され、該防止手段が、該ランセットホルダ中に形成された四つの溝を含み、該溝それぞれが、該湾曲した内面の隣接するものどうしの対を分ける、請求項４記載の血液試料採取装置。
【請求項７】
ハウジングと、
先端の鋭いランセット；中心部から外に延びる少なくとも２個の角度的に離間したうねを有する、該ランセットを支持するランセット本体；ならびに該ランセットの該鋭い先端を覆い、該ランセット本体からねじりながらはずすことができるように該ランセット本体に取り付けられる保護キャップを含むランセットアセンブリと、
刺す方向に掛け止め位置と刺し位置との間で動くことができ、その中に形成された穴であって、該ランセット本体を該ランセットホルダに対していかなる角度の向きででも該穴に挿入することができるよう、円筒形であり、実質的にふさがれていないものであり、複数の湾曲した内面によって画定されるものである穴を有し、それぞれが該湾曲した内面の隣接するものどうしの対を分ける、その中に形成された複数の溝を有するランセットホルダと、
該ランセットホルダを該掛け止め位置から該刺し位置まで動かすための、該ハウジング中に配置されたアクチュエータ機構と、
を含むことを特徴とする血液試料採取装置。
【請求項８】
該穴が、少なくとも四つの湾曲した内面によって画定され、四つの溝が該ランセットホルダ中に形成され、該溝それぞれが、該湾曲した内面の隣接するものどうしの対を分ける、請求項７記載の血液試料採取装置。
【請求項９】
該穴が、少なくとも六つの湾曲した内面によって画定され、六つの溝が該ランセットホルダ中に形成され、該溝それぞれが、該湾曲した内面の隣接するものどうしの対を分ける、請求項７記載の血液試料採取装置。
【請求項１０】
該アクチュエータ機構が、該ランセットホルダを該掛け止め位置から該刺し位置まで駆動するための駆動ばねを含み、該血液試料採取装置がさらに、
該ランセットホルダを該掛け止め位置に維持するための手段と、
該ランセットホルダを該掛け止め位置から解放して、該駆動ばねにより、該ランセットホルダを該掛け止め位置から該刺し位置まで駆動するための手段と、
を含む、請求項７記載の血液試料採取装置。
【手続補正書】
【提出日】平成16年6月3日(2004.6.3)
【手続補正１】
【補正対象書類名】明細書
【補正対象項目名】特許請求の範囲
【補正方法】変更
【補正の内容】
【特許請求の範囲】
【請求項１】
超音波装置本体と複数の同軸ケーブルを介して接続される超音波探触子において、各同軸ケーブルの信号線の一端には第１のコネクタ基板の信号配線が接続され、前記各同軸ケーブルの信号線の他端には第２のコネクタ基板の信号配線が接続され、前記第１および第２のコネクタ基板の信号配線のピッチと前記同軸ケーブルの信号線の配列ピッチが同一とされたことを特徴とする超音波探触子。
【請求項２】
超音波装置本体と複数の同軸ケーブルを介して接続される超音波探触子において、第１および第２の同軸ケーブル群の両端に、それぞれ、その表面および裏面に信号配線を有するコネクタ基板が配置され、前記第１の同軸ケーブル群の各信号線と前記コネクタ基板の表面の信号配線が接続され、前記第２の同軸ケーブル群の各信号線と前記コネクタ基板の裏面の信号配線が接続され、前記コネクタ基板の表面および裏面の信号配線のピッチとそれぞれ第１および第２の同軸ケーブル群の配列ピッチとが同一とされたことを特徴とする超音波探触子。
【手続補正２】
【補正対象書類名】明細書
【補正対象項目名】０００６
【補正方法】変更
【補正の内容】
【０００６】
【課題を解決するための手段】
本発明の超音波探触子は、各同軸ケーブルの信号線の一端には第１のコネクタ基板の信号配線が接続され、前記各同軸ケーブルの信号線の他端には第２のコネクタ基板の信号配線が接続され、前記第１および第２のコネクタ基板の信号配線のピッチと前記同軸ケーブルの信号線の配列ピッチが同一とされたことを特徴とする。
【手続補正３】
【補正対象書類名】明細書
【補正対象項目名】０００７
【補正方法】変更
【補正の内容】
【０００７】
さらに、第１および第２の同軸ケーブル群の両端に、それぞれ、その表面および裏面に信号配線を有するコネクタ基板が配置され、前記第１の同軸ケーブル群の各信号線と前記コネクタ基板の表面の信号配線が接続され、前記第２の同軸ケーブル群の各信号線と前記コネクタ基板の裏面の信号配線が接続され、前記コネクタ基板の表面および裏面の信号配線のピッチとそれぞれ第１および第２の同軸ケーブル群の配列ピッチとが同一とされたことを特徴とする。
【手続補正書】
【提出日】平成17年7月19日(2005.7.19)
【手続補正１】
【補正対象書類名】明細書
【補正対象項目名】特許請求の範囲
【補正方法】変更
【補正の内容】
【特許請求の範囲】
【請求項１】
骨の上に置かれるための背部面を有する基礎構造を備える、セルクラージュケーブルと共に使用するための骨グリップ（１００；２００；３００）であって、前記基礎構造が一対の側部脚（１０２、１０４；２０２、２０４；３０２、３０４）と前記一対の側部脚の間に延びる少なくとも一つのブリッジ部（１０６；２０６；３０６）とを備え、前記側部脚がそれぞれ前記側部脚を架橋する第一セルクラージュケーブル（１４０、１４２）を受容するための少なくとも一つの横断方向穴（１１４、１１６；２１４、２１６；３１４、３１６）を有しており、前記基礎構造が、前記第一セルクラージュケーブル（１４０、１４２）に対して横断方向に作用する第二セルクラージュケーブル（１４４）を保持し且つ整列させるために、少なくとも一つの案内構造（１３０、２３０、３３０；１２６、２２６、３２６；２５０、２５２；３５０、３６０、３６２；４５０、４９０）をさらに備えることを特徴とする骨グリップ。
【請求項２】
前記案内構造が基端部分まで延びている前記側部脚によって提供されており、前記側部脚は、基端部分において分離したままとなっている又は一体となって共通の基端部分を形成しており、該基端部分において第一セルクラージュケーブルに対して横断方向に延びる第二セルクラージュケーブルのための少なくとも一つの基部穴（１２６；２２６；３２６）を画定するように形成されている、請求項１に記載の骨グリップ。
【請求項３】
前記少なくとも一つの横断方向穴（１１４、１１６；２１４、２１６；３１４、３１６）は前記少なくとも一つのブリッジ部（１０６；２０６；３０６）を通って延びている、請求項１又は請求項２に記載の骨グリップ。
【請求項４】
前記ブリッジ部が横断方向穴にケーブルをロックするためにクリンプされるように構成されている、請求項３に記載の骨グリップ。
【請求項５】
前記基端部分で前記側部脚又は前記共通の基端部分が後方に湾曲して、第二セルクラージュケーブル（１４４）のための前記少なくとも一つの基部穴（１２６；２２６；３２６）を画定するために、少なくとも一部分は管状になっている少なくとも一つのフック又は歯（１１２；２１２；３１２）を画定している、請求項２から請求項４のいずれか一項に記載の骨グリップ。
【請求項６】
前記基礎構造は前部面を有しており、該前部面には第二セルクラージュケーブル（１４４）を前記基部穴に向かって案内するための案内溝（１３０；２３０；３３０）が画定されている、請求項２から請求項５のいずれか一項に記載の骨グリップ。
【請求項７】
前記側部脚の間に延び且つ第二セルクラージュケーブル（１４４）を案内するための横断方向穴（２５２）が設けられた、ブリッジ部（２５０）を備えている、請求項１から請求項６のいずれか一項に記載の骨グリップ。
【請求項８】
第二セルクラージュケーブルのための前記案内構造は、前記側部脚の間に延び且つ前記第二セルクラージュケーブルの中間部のための基部方向に凸状の案内経路（３６４）を画定している末端側ブリッジ部（３５０）と、前記第二セルクラージュケーブルを受容するべく前記側部脚を貫通する末端方向に曲がっている穴（３６０、３６２）とを含んでいる、請求項１から請求項７のいずれか一項に記載の骨グリップ。
【請求項９】
第二セルクラージュケーブルのための前記案内構造は、前記ブリッジ（４５０）の上に引っ掛けるためのフック部分とケーブル穴（４９６）が設けられている本体部分（４９４）とを有するクリップ型ケーブル案内部材（４９０）を含んでいる、請求項１から請求項８のいずれか一項に記載の骨グリップ。
【手続補正書】
【提出日】平成16年9月6日(2004.9.6)
【手続補正１】
【補正対象書類名】明細書
【補正対象項目名】特許請求の範囲
【補正方法】変更
【補正の内容】
【特許請求の範囲】
【請求項１】
所定の表示手段に表示される一のキャラクタを、所定の操作手段によって操作してゲームを実行するコンピュータゲーム装置において、
前記操作手段からの操作入力に従って仮想空間を移動する前記一のキャラクタの移動態様が、前記仮想空間内の前記一のキャラクタと他のキャラクタとの間隔に応じて設定されているゲームプログラムを格納する記憶手段と、
該ゲームプログラムを実行し、該ゲームプログラムに設定された移動態様に従って前記一のキャラクタの移動を制御する制御手段とを有し、
前記ゲームプログラムには、前記操作手段からの同一の操作入力に対して、前記間隔に応じて異なる移動態様が設定され、さらに、前記操作手段からの同一の入力に対して、前記間隔が所定距離以内のときに前記一のキャラクタの移動することができる第一の移動態様と、前記間隔が所定距離より離れているときに前記一のキャラクタの移動することができる第二の移動態様とが設定されていることを特徴とするコンピュータゲーム装置。
【請求項２】
仮想空間内に配置されたキャラクタを該仮想空間内の所定の視点から見た画像が表示画面に表示されるコンピュータゲーム装置において、
一のキャラクタと他のキャラクタとの間隔に応じて、前記一のキャラクタの移動態様を変更する移動制御手段を有し、
前記移動制御手段は、遊戯者の操作に応じて前記一のキャラクタの移動を制御し、前記一のキャラクタと前記他のキャラクタの間隔に応じて、遊戯者の操作に対応する前記一のキャラクタの移動態様を変更し、さらに、遊戯者の同一の操作に対応して、前記一のキャラクタの移動態様を変更することを特徴とするコンピュータゲーム装置。
【請求項３】
所定の表示手段に表示されるキャラクタを、所定の操作手段によって操作してゲームを実行するコンピュータゲーム装置において、
前記操作手段からの操作入力に従って仮想空間を移動する第一のキャラクタと、該第一のキャラクタと対峙する第二のキャラクタとの間隔が所定距離以内のとき、前記操作手段からの所定の操作入力に基づいて、前記第一のキャラクタがあらかじめ設定された距離を前記第二のキャラクタの位置を中心に円弧移動することを特徴とするコンピュータゲーム装置。
【請求項４】
所定の表示手段に表示される一のキャラクタを、所定の操作手段によって操作してゲームを実行するコンピュータゲームプログラムが記録された記録媒体であって、該コンピュータゲームプログラムには、
前記操作手段からの操作入力に従って前記仮想空間を移動する前記一のキャラクタの移動態様が、前記仮想空間内の前記一のキャラクタと他のキャラクタとの間隔に応じて設定され、
前記操作手段からの同一の操作入力に対して、前記間隔に応じて異なる移動態様が設定され、
さらに、前記操作手段からの同一の入力に対して、前記間隔が所定距離以内のときに前記一のキャラクタの移動することができる第一の移動態様と、前記間隔が所定距離より離れているときに前記一のキャラクタの移動することができる第二の移動態様とが設定されていることを特徴とするコンピュータゲームプログラムを記録した記録媒体。
【請求項５】
仮想空間内に配置されたキャラクタを該仮想空間内の所定の視点から見た画像を表示画面に表示するコンピュータゲームプログラムを記録した記録媒体であって、該コンピュータゲームプログラムには、
一のキャラクタと他のキャラクタとの間隔に応じて、前記一のキャラクタの移動態様が設定され、
遊戯者の操作に応じて前記一のキャラクタの移動を制御し、前記一のキャラクタと前記他のキャラクタの間隔に応じて、遊戯者の操作に対応する前記一のキャラクタの移動態様が設定され、
遊戯者の同一の操作に対して異なる前記一のキャラクタの移動態様が設定されていることを特徴とするコンピュータゲームプログラムの記録媒体。
【請求項６】
所定の表示手段に表示されるキャラクタを、所定の操作手段によって操作してゲームを実行するコンピュータゲームプログラムが記録された記録媒体であって、該コンピュータゲームプログラムには、
前記操作手段からの操作入力に従って仮想空間を移動する第一のキャラクタと、該第一のキャラクタと対峙する第二のキャラクタとの間隔が所定距離以内のとき、前記操作手段からの所定の操作入力に基づいて、前記第一のキャラクタがあらかじめ設定された距離を前記第二のキャラクタの位置を中心に円弧移動する移動態様が設定されていることを特徴とするコンピュータゲームプログラムを記録した記録媒体。
【手続補正書】
【提出日】平成16年9月6日(2004.9.6)
【手続補正１】
【補正対象書類名】明細書
【補正対象項目名】請求項５
【補正方法】変更
【補正の内容】
【請求項５】
前記２本の回動部材のアーム部の間に平板を差し込んで持ち上げると、平板の上面と前記突出部の下面が当接して前記玩具本体は前記平板にぶら下がり、左右に振り動かすことが可能であることを特徴とする請求項１乃至４のいずれか記載のゲーム玩具。
【手続補正２】
【補正対象書類名】明細書
【補正対象項目名】符号の説明
【補正方法】変更
【補正の内容】
【符号の説明】
１０…ぶら下がり玩具、１１…玩具本体、１１ａ…頭，１１ｂ…足，１１ｃ…開口部、１２…回動部材、１２ａ…アーム部、１２ｂ…突出部、１２ｃ…軸孔、１２ｄ…突条、２０…傾斜面部材、２１…円柱部材、２２…長尺板部材、２２ａ…横溝、２２ｂ…突条、２３…支持部材、２３ａ…横行部、２３ｂ…下行部。
【手続補正書】
【提出日】平成17年7月22日(2005.7.22)
【手続補正１】
【補正対象書類名】明細書
【補正対象項目名】請求項１
【補正方法】変更
【補正の内容】
【請求項１】
取外し可能な人形用衣服であって、エラストマー材料またはゴムから射出成形され、かつ少なくとも一つの一体的に成形された細部を備えており、前記衣服が、実物同様の方法で、間接のある手足を有する人形の少なくとも一部の外面にフィットするよう成形された形状を有し、かつ人形の頭や手足の通る貫通穴を有することを特徴とする、人形用衣服。
【手続補正２】
【補正対象書類名】明細書
【補正対象項目名】請求項７
【補正方法】変更
【補正の内容】
【請求項７】
請求項１から請求項６の何れか一項に記載の人形用衣服において、前記の少なくとも１つの一体的に成形された細部がベルト、ボタンまたは襟である人形用衣服。
【手続補正３】
【補正対象書類名】明細書
【補正対象項目名】請求項８
【補正方法】変更
【補正の内容】
【請求項８】
関節のある手足を有する人形と、少なくとも１つの人形用衣服とを含み、前記または各衣服がエラストマー材料またはゴムから射出成形で製造され、かつ少なくとも一つの一体的に成形された細部を備えており、前記衣服が、実物同様の方法で、間接のある手足を有する人形の少なくとも一部の外面にフィットするよう成形された形状を有し、かつ人形の頭や手足の通る貫通穴を有することを特徴とする人形と衣服のセット。
【手続補正書】
【提出日】平成16年3月5日(2004.3.5)
【手続補正１】
【補正対象書類名】明細書
【補正対象項目名】００２４
【補正方法】変更
【補正の内容】
【００２４】
火災感知器ａ1が、火災を検出し火災信号を出力すると、制御盤２は、火災発生地点より最も遠い火災監視区域ｈを安全位置と判断し、回転棚４０に該載置部Ｐ1の停止位置を該火災監視区域ｈと指定して回転命令を発する。
そうすると、回転棚４０は矢印Ａ４０方向に回転するとともに、載置部Ｐ1が火災監視区域ｈに到達すると停止する。
【手続補正書】
【提出日】平成16年9月9日(2004.9.9)
【手続補正１】
【補正対象書類名】明細書
【補正対象項目名】特許請求の範囲
【補正方法】変更
【補正の内容】
【特許請求の範囲】
【請求項１】
表示器の画面に抽選結果を表示する、電子装置における抽選結果表示方法において、
複数の縦棒間に複数の横棒を渡してあみだくじを作成し表示するステップと、
前記あみだくじの複数の縦棒の終端に抽選結果候補を配置するステップと、
前記あみだくじに沿って移動するキャラクタを表示するステップと、
前記キャラクタが前記あみだをたどり始める始点となる縦棒を決定するステップと、
前記キャラクタが前記あみだくじに沿って移動している間に、該キャラクタが通過する任意の横棒を、最初は画面上に表示されないが、あみだをたどる際に現れて横棒として働く隠し棒に入れ替えるステップと、
前記キャラクタが前記あみだくじに沿って移動している間に、該キャラクタが通過する任意の位置に、最初は画面上に表示されるが、あみだをたどる際に消えて横棒として働かないダミー棒を挿入するステップとを有し、
前記キャラクタが、前記あみだくじに沿って移動して、予め定められた抽選結果にたどり着くように表示することを特徴とする抽選結果表示方法。
【請求項２】
請求項１記載の抽選結果表示方法において、
前記あみだくじの大きさを表示画面よりも大きく形成するステップと、
前記あみだくじ中の一部分を前記表示画面に選択的に表示するステップと、
選択的に表示された一部のあみだくじを用いて抽選結果を表示するステップと
を有することを特徴とする抽選結果表示方法。
【請求項３】
請求項２記載の抽選結果表示方法において、
前記あみだくじ中の一部分を選択後、前記表示画面外に延びる横棒及び／又は縦棒を削除するステップを有することを特徴とする抽選結果表示方法。
【請求項４】
請求項１乃至３のいずれか１項に記載の抽選結果表示方法において、
前記キャラクタが前記あみだくじに沿って移動している間に、前記抽選結果候補に特定の抽選結果候補を表示するステップと、
前記キャラクタが、前記あみだくじの横棒を無視して前記特定の抽選結果候補に前記縦棒に沿って直接移動するステップと
を更に有することを特徴とする抽選結果表示方法。
【請求項５】
処理装置を有し、表示器の画面に抽選結果を表示する電子装置において、
前記処理装置が、
複数の縦棒間に複数の横棒を渡してあみだくじを作成し表示するステップと、
前記あみだくじの複数の縦棒の終端に抽選結果候補を配置するステップと、
前記あみだくじに沿って移動するキャラクタを表示するステップと、
前記キャラクタが前記あみだをたどり始める始点となる縦棒を決定するステップと、
前記キャラクタが前記あみだくじに沿って移動している間に、該キャラクタが通過する任意の横棒を、最初は画面上に表示されないが、あみだをたどる際に現れて横棒として働く隠し棒に入れ替えるステップと、
前記キャラクタが前記あみだくじに沿って移動している間に、該キャラクタが通過する任意の位置に、最初は画面上に表示されるが、あみだをたどる際に消えて横棒として働かないダミー棒を挿入するステップとを実行し、
前記キャラクタが、前記あみだくじに沿って移動して、予め定められた抽選結果にたどり着くように表示する
ことを特徴とする電子装置。
【請求項６】
請求項１乃至４のいずれか１項に記載の抽選結果表示方法を実行するプログラムが記憶されたことを特徴とする記憶媒体。
【手続補正２】
【補正対象書類名】明細書
【補正対象項目名】０００５
【補正方法】変更
【補正の内容】
【０００５】
【課題を解決するための手段】
上記目的は、表示器の画面に抽選結果を表示する、電子装置における抽選結果表示方法において、複数の縦棒間に複数の横棒を渡してあみだくじを作成し表示するステップと、前記あみだくじの複数の縦棒の終端に抽選結果候補を配置するステップと、前記あみだくじに沿って移動するキャラクタを表示するステップと、前記キャラクタが前記あみだをたどり始める始点となる縦棒を決定するステップと、前記キャラクタが前記あみだくじに沿って移動している間に、該キャラクタが通過する任意の横棒を、最初は画面上に表示されないが、あみだをたどる際に現れて横棒として働く隠し棒に入れ替えるステップと、前記キャラクタが前記あみだくじに沿って移動している間に、該キャラクタが通過する任意の位置に、最初は画面上に表示されるが、あみだをたどる際に消えて横棒として働かないダミー棒を挿入するステップとを有し、前記キャラクタが、前記あみだくじに沿って移動して、予め定められた抽選結果にたどり着くように表示することを特徴とする抽選結果表示方法によって達成される。
【手続補正３】
【補正対象書類名】明細書
【補正対象項目名】０００６
【補正方法】変更
【補正の内容】
【０００６】
上述した抽選結果表示方法において、請求項１記載の抽選結果表示方法において、
前記あみだくじの大きさを表示画面よりも大きく形成するステップと、前記あみだくじ中の一部分を前記表示画面に選択的に表示するステップと、選択的に表示された一部のあみだくじを用いて抽選結果を表示するステップとを有するようにしてもよい。
【手続補正４】
【補正対象書類名】明細書
【補正対象項目名】０００７
【補正方法】変更
【補正の内容】
【０００７】
上述した抽選結果表示方法において、前記あみだくじ中の一部分を選択後、前記表示画面外に延びる横棒及び／又は縦棒を削除するステップを有するようにしてもよい。
【手続補正５】
【補正対象書類名】明細書
【補正対象項目名】０００８
【補正方法】変更
【補正の内容】
【０００８】
上述した抽選結果表示方法において、前記キャラクタが前記あみだくじに沿って移動している間に、前記抽選結果候補に特定の抽選結果候補を表示するステップと、前記キャラクタが、前記あみだくじの横棒を無視して前記特定の抽選結果候補に前記縦棒に沿って直接移動するステップとを更に有するようにしてもよい。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正書】
【提出日】平成16年5月25日(2004.5.25)
【手続補正１】
【補正対象書類名】明細書
【補正対象項目名】特許請求の範囲
【補正方法】変更
【補正の内容】
【特許請求の範囲】
【請求項１】
薬物を含有させた複数の陽電極もしくは陰電極および薬物を含有しない１の対極、ならびに処理時間、休止時間および／または切り替え回数を設定するための処理条件設定手段を設け、使用に際して、該処理条件設定手段により複数の薬物含有電極に順次に通電を行うことを特徴とする少量の薬物を頻回投与するためのイオントフォレシス用装置。
【請求項２】
処理時間、休止時間および／または切り替え回数を設定するための処理条件設定手段が、処理時間を１分間〜２４時間、休止時間を０〜１２時間、および／または切り替え回数を１〜１０回に設定するための処理条件設定手段である請求項１記載の装置。
【請求項３】
直流定電流電源または直流パルス発生装置の電源手段と、過電流を防止するための安全確保用の電流制限用抵抗手段とが具備されている請求項１または２記載の装置。
【請求項４】
陽電極もしくは陰電極が、水性媒体層を含む電極である請求項１〜３のいずれか１項に記載の装置。
【請求項５】
陽電極もしくは陰電極が、半透膜、放出制御膜および粘着剤層のいずれか１以上を積層させた電極である請求項１〜４のいずれか１項に記載の装置。
【手続補正書】
【提出日】平成16年8月24日(2004.8.24)
【手続補正１】
【補正対象書類名】明細書
【補正対象項目名】０００６
【補正方法】変更
【補正の内容】
【０００６】
更に上記洗浄を行なうときは、先ず弁５、７、１３を開いて排液ポンプ６を運転し、洗浄槽３内に洗浄液蒸気を導入しつつ洗浄槽内の洗浄液を貯液槽９へ戻した後、弁５、７を閉じ、排液ポンプ６を停止させる。こうすると、蒸気発生器１１で発生した洗浄液の蒸気が引続いて洗浄槽３内に入り、被洗浄物２を蒸気洗浄する。更に弁１３を閉じ、弁１７、１９を開いて真空ポンプ１８を運転すると、真空ポンプ１８に吸引された洗浄液蒸気は、蒸留槽２０に送られて液化し回収される。
【手続補正２】
【補正対象書類名】明細書
【補正対象項目名】０００７
【補正方法】変更
【補正の内容】
【０００７】
更に洗浄を終了するときは、弁１３、１４を閉じた状態で、弁３０を開き、洗浄槽３にフィルタ３１を通した清浄空気を流入させた後、弁１７、２１を開き真空ポンプ１８を運転する。洗浄槽３内の洗浄液ガスは、洗浄液回収装置２２を通って回収されると同時に吸入された空気は大気中へ放出される。この空気流通を続けると被洗浄物２は乾燥される。
【手続補正３】
【補正対象書類名】明細書
【補正対象項目名】０００８
【補正方法】変更
【補正の内容】
【０００８】
【発明が解決しようとする課題】
この発明は、第１及び第２濾過器８、３７に関するものである。先ず第２濾過器３７を図４の例について説明すると、第２濾過器３７のフィルタ４２は、使用期間が長くなると目詰りを生じるから交換しなければならない。その操作は、プラグ４３を外してケーシング４１内を大気に通じさせると共に、底部のプラグ４４を外して内部の洗浄液を排出し、ケーシング４１を蓋４０から外して行なうが、洗浄液は完全には捕捉されないので周囲を汚したり、洗浄液の蒸気を発散させることになる。この作業は面倒である。又、急ぐときは、プラグ４３、４４をそのままにして、時間のかかる液排出をしないでフィルタ交換を行なうことがあるが、ハニカム状に形成されるフィルタ４２は、多量の洗浄液を含んでおり、ケーシング４１内にも多量の液が残っているので、多くの液が飛散して周囲を汚し、これにより多量の洗浄液が消耗されるだけでなく、多量の洗浄液が蒸発して大気中に放散されるので、代替フロンのような洗浄液の場合は、環境に悪影響を及ぼすことになる。
【手続補正４】
【補正対象書類名】明細書
【補正対象項目名】００１０
【補正方法】変更
【補正の内容】
【００１０】
【課題を解決するための手段】
この発明は、第１濾過器８を洗浄槽３の底部にねじ込み式に取付けると共にそのケーシング上部に笠を取付けて、供給する洗浄液を分散させて洗浄槽３に流入させるようにし、第２濾過器３７においては底のプラグ４４の位置に、弁を設けたパイプを下向傾斜させて接続して、これを蒸留槽２０に通じさせる構成として上記の不都合を除いたものである。
【手続補正５】
【補正対象書類名】明細書
【補正対象項目名】００１１
【補正方法】変更
【補正の内容】
【００１１】
【作用】
第１濾過器８は洗浄槽３の底部の排出口にねじ込んで取付けられるから、液流によって動かされることがない。又、洗浄後、弁１７、１９を開き真空ポンプ１８を運転して洗浄槽３を減圧することにより、洗浄槽３内及び被洗浄物２に残った洗浄液を蒸発させ乾燥させる工程において、洗浄槽３の底部及び第１濾過器８内に残った洗浄液が蒸発する際に飛沫となって被洗浄物２に付着し、洗浄液中の微細な汚れが被洗浄物２を再汚染することがあるが、この第１濾過器８の上部に取付けた笠のため洗浄液の飛沫を分散させて被洗浄物２に直接衝突させることがないから、洗浄液中の微細な汚れ分のため被洗浄物２を再汚染する恐れがない。
【手続補正６】
【補正対象書類名】明細書
【補正対象項目名】００１３
【補正方法】変更
【補正の内容】
【００１３】
【発明の実施の形態】
図１は、第２濾過器３７の底のプラグ４４の位置に、弁４５を持つパイプ４６の１端を接続し、パイプ４６は下向傾斜させて、その他端を蒸留槽２０に接続した構成を示している。従ってプラグ４３を外して（又は弛めて）第２濾過器３７のケーシング内を大気に通じさせると共に弁４５を開くと、第２濾過器３７内の洗浄液は蒸留槽２０に流下する。この操作をするだけで放置すれば濾過器内の洗浄液排出は自動的に行なわれる。そこでパイプ４６をケーシング４１から外し、ケーシング４１を蓋４０から外してフィルタ４２を交換することができる。パイプ４６の着脱は容易である。このフィルタ交換操作は洗浄液排出を含めて短時間で行なえるから、急ぎの場合でも洗浄液を全部排出してからフィルタ交換をすることができる。
【手続補正書】
【提出日】平成16年12月2日(2004.12.2)
【手続補正１】
【補正対象書類名】明細書
【補正対象項目名】００１７
【補正方法】変更
【補正の内容】
【００１７】
＝＝＝ジャイロセンサの構成＝＝＝
図１は、圧電デバイスの一例としてのジャイロセンサの構成を示す説明図であり、図１（Ａ）は、平面図、図１（Ｂ）は、ａ−ａ´断面を表す正面図である。
図１によれば、ジャイロセンサ１００は、電子機器及び乗り物のような物体の姿勢を検出すべく前記物体に搭載されて使用される。ジャイロセンサ１００は、圧電振動片であるジャイロ振動片１０と、ジャイロ振動片１０を保持するための支持機構であるリード線１５Ａ、１５Ｂ、１６Ａ及び１６Ｂと、前記リード線１５Ａ等を介して前記ジャイロ振動片１０が載置されるための、例えばセラミック製のパッケージ２０と、前記リード線を支持するための支持基板２２と、前記ジャイロ振動片１０等の部材を収納するための蓋体１９とから構成されている。
【手続補正２】
【補正対象書類名】明細書
【補正対象項目名】００２４
【補正方法】変更
【補正の内容】
【００２４】
検出アーム１２は、図４（Ａ）〜（Ｃ）に示されるように、概ねＳ字状及び逆Ｓ字状に変形するという屈曲動作を行なう。検出アーム１２による前記屈曲動作回転により発生する電気信号を検出することにより前記コリオリ力の大きさを知得し、これにより、前記物品に加えられた回転角速度の大きさを認識する。
【手続補正３】
【補正対象書類名】明細書
【補正対象項目名】００３２
【補正方法】変更
【補正の内容】
【００３２】
次に、図７（Ｂ）に示すように、成型されたリード線１５Ａ等をパッケージ２０と固着する。詳述すると、例えばパッケージ２０上にＡｕバンプ３２を載置し、さらに、Ａｕバンプ３２上にリード線１５Ａ等を載置する。加熱ツール２９などを用いてリード線１５Ａ、Ａｕバンプ３２、及びパッケージを加熱しながら加圧することによって固着する。
【手続補正４】
【補正対象書類名】明細書
【補正対象項目名】００３８
【補正方法】変更
【補正の内容】
【００３８】
支持基板４２は、例えば、ステンレス鋼板にポリイミド樹脂等の絶縁層を設けた基板であり、前記絶縁層にリード線４０Ａ、４０Ｂ、４１Ａ及び４１Ｂが固定されており、その中央には、該リード線４０Ａ等の成型のための開口部４３が設けられている。さらに、支持基板４２には、それぞれのリード線４０Ａ等の一端近傍にはそれぞれ窓開け部２３、２４，２５、及び２６が設けられている。
上述したように、第二の実施の形態の圧電デバイスによれば、リード線４０Ａ等を支持基板４２の下面、即ち、パッケージ４６に対向する面に固着することから、リード線４０Ａ等のリードフォーミングをすることなく、リード線４０Ａ等をパッケージ４６に密着させることが可能となる。
【手続補正書】
【提出日】平成17年6月28日(2005.6.28)
【手続補正１】
【補正対象書類名】明細書
【補正対象項目名】０００３
【補正方法】変更
【補正の内容】
【０００３】
従来の振動・騒音低減装置のうち、振動又は騒音を電気に変換するためのエネルギー変換系と、変換された電気を熱エネルギーとして消費するエネルギー消費手段とから構成されているシステムにおいては、エネルギー変換系には、騒音−電気変換器として一般にマイクロホンを用い、振動−電気変換器として最近では圧電材料を用いるものが知られている。エネルギー消費手段としては、コイルと抵抗器を含むシャント回路が用いられ、圧電材料の静電容量Ｃとシャント回路のコイルインダクタンスＬと抵抗器Ｒとで共振回路が構成されている。このシャント回路の抵抗器に電流を流してジュール熱を放出させることによりエネルギー消費をするものである（例えば、非特許文献１参照）
【手続補正書】
【提出日】平成17年9月14日(2005.9.14)
【手続補正１】
【補正対象書類名】明細書
【補正対象項目名】特許請求の範囲
【補正方法】変更
【補正の内容】
【特許請求の範囲】
【請求項１】  画像形成装置の現像装置に現像剤を投入するための現像剤投入治具であり、前記現像装置の使用現像剤容量よりも大きな現像剤容量を有し、前記現像装置に現像剤を投入する際に装着可能な交換容器を備えることを特徴とする現像剤投入治具。
【請求項２】  前記現像剤投入治具は、前記画像形成装置又は前記現像装置に対して着脱可能であり、かつ、前記交換容器を着脱可能とするガイド部を有することを特徴とする請求項１に記載の現像剤投入治具。
【請求項３】  前記交換容器は折りたためる構造となっていることを特徴とする請求項１又は２に記載の現像剤投入治具。
【請求項４】  前記ガイド部は、前記画像形成装置又は前記現像装置に取り付ける支持部材と、前記交換容器を前記現像装置に対して保持する保持部材と、で構成されることを特徴とする請求項２又は３に記載の現像剤投入治具。
【請求項５】  トナー及びキャリアよりなる２成分現像剤を用いる現像装置を有する画像形成装置において、
前記現像装置に現像剤が投入される際、前記現像装置の使用現像剤容量よりも大きな現像剤容量を有する交換容器を備えた現像剤投入治具が装着され、該交換容器を介して現像剤が投入されることを特徴とする画像形成装置。
【請求項６】  前記現像剤投入治具は、前記画像形成装置又は、前記現像装置に対して着脱可能であり、かつ、前記交換容器を着脱可能とするガイド部を有することを特徴とする請求項５に記載の画像形成装置。
【請求項７】  前記交換容器は折りたためる構造となっていることを特徴とする請求項５又は６に記載の画像形成装置。
【請求項８】  前記ガイド部は、前記画像形成装置又は前記現像装置に取り付ける支持部材と、前記交換容器を前記現像装置に対して保持する保持部材と、で構成されることを特徴とする請求項６又は７に記載の画像形成装置。
【請求項９】  前記現像装置を複数有することを特徴とする請求項５〜８のいずれか１項に記載の画像形成装置。
【手続補正２】
【補正対象書類名】明細書
【補正対象項目名】００１４
【補正方法】変更
【補正の内容】
【００１４】
（１）  画像形成装置の現像装置に現像剤を投入するための現像剤投入治具であり、前記現像装置の使用現像剤容量よりも大きな現像剤容量を有し、前記現像装置に現像剤を投入する際に装着可能な交換容器を備えることを特徴とする現像剤投入治具。
【手続補正３】
【補正対象書類名】明細書
【補正対象項目名】００１５
【補正方法】変更
【補正の内容】
【００１５】
（２）  前記現像剤投入治具は、前記画像形成装置又は前記現像装置に対して着脱可能であり、かつ、前記交換容器を着脱可能とするガイド部を有することを特徴とする（１）に記載の現像剤投入治具。
【手続補正４】
【補正対象書類名】明細書
【補正対象項目名】００１７
【補正方法】変更
【補正の内容】
【００１７】
（４）  前記ガイド部は、前記画像形成装置又は前記現像装置に取り付ける支持部材と、前記交換容器を前記現像装置に対して保持する保持部材と、で構成されることを特徴とする（２）又は（３）に記載の現像剤投入治具。
【手続補正５】
【補正対象書類名】明細書
【補正対象項目名】００１８
【補正方法】変更
【補正の内容】
【００１８】
（５）  トナー及びキャリアよりなる２成分現像剤を用いる現像装置を有する画像形成装置において、
前記現像装置に現像剤が投入される際、前記現像装置の使用現像剤容量よりも大きな現像剤容量を有する交換容器を備えた現像剤投入治具が装着され、該交換容器を介して現像剤が投入されることを特徴とする画像形成装置。
【手続補正６】
【補正対象書類名】明細書
【補正対象項目名】００１９
【補正方法】変更
【補正の内容】
【００１９】
（６）  前記現像剤投入治具は、前記画像形成装置又は、前記現像装置に対して着脱可能であり、かつ、前記交換容器を着脱可能とするガイド部を有することを特徴とする（５）に記載の画像形成装置。
【手続補正７】
【補正対象書類名】明細書
【補正対象項目名】００２１
【補正方法】変更
【補正の内容】
【００２１】
（８）  前記ガイド部は、前記画像形成装置又は前記現像装置に取り付ける支持部材と、前記交換容器を前記現像装置に対して保持する保持部材と、で構成されることを特徴とする（６）又は（７）に記載の画像形成装置。
【手続補正書】
【提出日】平成17年5月6日(2005.5.6)
【手続補正１】
【補正対象書類名】明細書
【補正対象項目名】請求項１
【補正方法】変更
【補正の内容】
【請求項１】
本体に開閉自在に設けられた蓋と、同蓋の開閉状態を検出する蓋開閉スイッチと、
操作内容を表示する表示部と、
前記蓋の開状態時には直接操作され、閉状態時には前記蓋に設けられた外部操作機構を介して操作される操作ボタンとを設け、
前記操作ボタンは蓋開閉スイッチの状態に応じて異なる機能に切換えられるようにしてなるリモートコントローラにおいて、
前記本体に、前記蓋開閉スイッチと同じ機能を有する機能切換スイッチを設けたことを特徴とするリモートコントローラ。
【手続補正２】
【補正対象書類名】明細書
【補正対象項目名】０００８
【補正方法】変更
【補正の内容】
【0008】
【課題を解決するための手段】
本発明は上記の課題を解決するためになされたものであり、
本体に開閉自在に設けられた蓋と、同蓋の開閉状態を検出する蓋開閉スイッチと、
操作内容を表示する表示部と、
前記蓋の開状態時には直接操作され、閉状態時には前記蓋に設けられた外部操作機構を介して操作される操作ボタンとを設け、
前記操作ボタンは蓋開閉スイッチの状態に応じて異なる機能に切換えられるようにしてなるリモートコントローラにおいて、
前記本体に、前記蓋開閉スイッチと同じ機能を有する機能切換スイッチを設けた構成となっている。
【手続補正書】
【提出日】平成17年5月24日(2005.5.24)
【手続補正１】
【補正対象書類名】明細書
【補正対象項目名】００１９
【補正方法】変更
【補正の内容】
【００１９】
少なくとも呼びの開始時に、第１携帯電話器２０と、第３携帯電話器２２ａ，ｂは、脱暗号化と／または対応するホッピング、例えば乱数シーケンスのシード（供給源）を活性化するために情報を交換する。この情報交換が時間選択性である実施例においては、この情報交換は、第１携帯電話器２０と、第３携帯電話器２２ａ，ｂが同時に例えば１秒未満の間のみ行われる。本発明の他の実施例においては、この情報交換は、第１携帯電話器２０と第３携帯電話器２２ａ，ｂ内の高度に方向性の送信器と受信器（図示せず）、例えば暗号化装置と脱暗号化装置に結合される方向性の赤外線信号などの手段により行われる。かくして暗号化を実行する情報は、ユーザがそれぞれの第１携帯電話器２０，第３携帯電話器２２ａ，ｂを互いに指示し情報交換を可能とするようなメニューを選択したときのみ交換される。
【手続補正書】
【提出日】平成17年7月22日(2005.7.22)
【手続補正１】
【補正対象書類名】明細書
【補正対象項目名】請求項１
【補正方法】変更
【補正の内容】
【請求項１】
受信したビデオデータからシーン候補を識別するステップと、
前記シーン候補を、ある録画可能容量の光学的記録媒体に格納するためにフォーマットするステップと、
前記録画可能容量を減少させることなく、前記フォーマット済シーン候補を前記光学的記録媒体上において媒体構造に格納するステップと
を含む、シーン検出情報を格納する方法。
【手続補正２】
【補正対象書類名】明細書
【補正対象項目名】請求項４
【補正方法】変更
【補正の内容】
【請求項４】
処理モジュールと、
該処理モジュールに動作するように関連づけられているシーン検出情報格納ロジックであって、ビデオデータを受信し、該ビデオデータからシーン候補を識別し、ある録画可能容量の光学的記録媒体に格納するために前記シーン候補をフォーマットするように動作可能な、シーン検出情報格納ロジックと、
前記録画可能容量を減少させることなく、前記光学的記録媒体上において、前記フォーマット済シーン候補を媒体構造に格納するように動作可能な媒体格納システムと
を備える、シーン検出情報を格納するシステム。
【手続補正３】
【補正対象書類名】明細書
【補正対象項目名】請求項８
【補正方法】変更
【補正の内容】
【請求項８】
処理モジュールと、
該処理モジュールに動作するように関連づけられているシーン検出情報格納ロジックであって、
ビデオデータを受信し、該ビデオデータからシーン候補を識別し、ある録画可能容量の光学的記録媒体に格納するために前記シーン候補をフォーマットし、  前記録画可能容量を減少させることなく、前記フォーマット済シーン候補を前記光学的記録媒体に格納させるように動作可能なシーン検出情報格納ロジックと
を備える、シーン検出情報を格納するシステム。
【手続補正書】
【提出日】平成17年1月31日(2005.1.31)
【手続補正１】
【補正対象書類名】明細書
【補正対象項目名】００３５
【補正方法】削除
【補正の内容】
【手続補正２】
【補正対象書類名】明細書
【補正対象項目名】００４１
【補正方法】変更
【補正の内容】
【００４１】
RSFD80に含まれている変異型dapAは野生型dapAの塩基配列において塩基番号623のＣがＴに変化した配列を有し、それによって、コードされる変異型DDPSは118位のヒスチジン残基がチロシン残基に置換された配列を有する。また、RSFD80に含まれている変異型lysCは野生型lysCの塩基配列において塩基番号1638のＣがＴ変化した配列を有し、それによって、コードされる変異型AKIIIは352位のスレオニン残基がイソロイシン残基に置換された配列を有する。
【手続補正３】
【補正対象書類名】明細書
【補正対象項目名】００４７
【補正方法】削除
【補正の内容】
【手続補正４】
【補正対象書類名】明細書
【補正対象項目名】００８３
【補正方法】変更
【補正の内容】
【００８３】
dapA*遺伝子断片は、同遺伝子を含む公知のプラスミドRSFD80(WO 95/16042号参照)を鋳型として、配列番号３および４に示すプライマーを用いたPCR法（変性94℃-20秒、アニーリング55℃-30秒、伸長反応72℃-60秒）により増幅した。PCR反応には、Pyrobest DNA polymerase（宝酒造社製）を使用した。得られたdapA*断片をPCRprep（Promega社製）にて精製した後、制限酵素Sse8387IおよびXbaIで消化した。フェノール・クロロホルム溶液を加えて混合し、反応を停止させた。反応液を遠心分離した後、上層を回収し、エタノール沈殿にてDNAを回収し、0.8%アガロースゲルで分離後、約0.1kbpのDNA断片を回収した。
【手続補正書】
【提出日】平成16年10月14日(2004.10.14)
【手続補正１】
【補正対象書類名】明細書
【補正対象項目名】００９５
【補正方法】変更
【補正の内容】
【００９５】
（含量分析条件）
カラム：ＨＲ−２０Ｍ（０．５３ｍｍ×３０ｍ、１μｍ）（信和化工社製）
カラム温度：１２０℃（５分）→３℃／分→１５０℃（５分）→１０℃／分→２００℃（５分）
キャリアーガス：ヘリウム（流量：２０ｍｌ／分）
検出器：ＦＩＤ
【手続補正２】
【補正対象書類名】明細書
【補正対象項目名】００９６
【補正方法】変更
【補正の内容】
【００９６】
（光学純度測定条件）
カラム：G-TA（０．２５ｍｍ×３０ｍ、０．１２５μｍ）（アステック社製）
カラム温度：１１０℃（２０分）→５℃／分→１８０℃（１分）
キャリアーガス：ヘリウム（流量：１ｍｌ／分）
検出器：ＦＩＤ
スプリット比：１/５０
尚、生成物の絶対立体配置は（Ｓ）−４−ブロモ−３−ヒドロキシ酪酸メチルの標品と比較することにより決定した。
【手続補正書】
【提出日】平成16年10月20日(2004.10.20)
【手続補正１】
【補正対象書類名】明細書
【補正対象項目名】発明の名称
【補正方法】変更
【補正の内容】
【発明の名称】湯面浮かべ式盆装置
【手続補正２】
【補正対象書類名】明細書
【補正対象項目名】特許請求の範囲
【補正方法】変更
【補正の内容】
【特許請求の範囲】
【請求項１】
湯面に浮かばせられ、徳利が載置される湯面浮かべ式盆装置において、
徳利の底面を支持する支持面と、
前記徳利が上方から挿抜自在にかつ前記支持面より上方に形成されかつ周部が前記徳利の揺れに対して前記徳利の周面に当接して前記徳利の転倒を阻止する挿通孔と、
を有していることを特徴とする湯面浮かべ式盆装置。
【請求項２】
前記支持面は、前記湯面浮かべ式盆装置の浮遊中でかつ前記支持面への徳利の載置中は、湯面より下方となるように、配設され、
前記支持面に載置中の前記徳利の下部へ湯が流入する湯流入部が設けられている、
ことを特徴とする請求項１記載の湯面浮かべ式盆装置。
【請求項３】
前記挿通孔が底板に穿設されている盆本体と、
上端の周縁部を前記挿通孔の周部に固定されるとともに前記盆本体内へ収納自在であり下端部は前記支持面を形成し前記湯流入部が前記支持面に設けられかつ前記徳利が前記支持面に載置されているときは前記盆本体の底面より下方へ突出する蛇腹式容器と、
を有していることを特徴とする請求項２記載の湯面浮かべ式盆装置。
【請求項４】
前記挿通孔が底板に穿設されている盆本体と、
上端開口が前記挿通孔に合うようにかつ前記盆本体の底面から下方へ突出するように前記盆本体に固定され前記湯流入部としての網目をもち底壁が前記支持面を構成する籠状容器と、
を有していることを特徴とする請求項２記載の湯面浮かべ式盆装置。
【請求項５】
前記湯面浮かべ式盆装置の底部に設けられ遠隔操作により駆動するスクリューを有していることを特徴とする請求項１〜４のいすれかに記載の湯面浮かべ式盆装置。
【請求項６】
前記挿通孔は、複数個の各徳利に対してそれぞれ設けられるか、又は複数個の徳利に対して共通に設けられていることを特徴とする請求項１〜５のいずれかに記載の湯面浮かべ式盆装置。
【手続補正３】
【補正対象書類名】明細書
【補正対象項目名】０００１
【補正方法】変更
【補正の内容】
【０００１】
本発明は、温泉地や露天風呂などの風呂に浮かべて、徳利を載せる湯面浮かべ式盆装置に関するものである。
【手続補正４】
【補正対象書類名】明細書
【補正対象項目名】０００４
【補正方法】変更
【補正の内容】
【０００４】
【課題を解決するための手段】
湯面浮かべ式盆装置においては、盆の中央部に貫通穴を設け、該貫通穴に上面が開口の底面に湯の流入口がる折畳み可能な蛇腹式容器あるいは針金や細い竹等で編んだ籠状の容器を前記貫通穴の嵌合し、該容器は前記盆の底面より下方に突出して設けられた容器付き盆を湯に浮かべると、前記容器内に湯が流入し、該容器に酒の入った徳利を挿入すると、該徳利は湯に浸かった状態となり、保温と燗が出来、湯面が揺れても徳利が転倒しないようにした。徳利保温及び燗用容器付き盆の底部に遠隔操作可能なリモートコントロールで駆動するスクリュー及び舵を設けた。徳利保温及び燗用容器を徳利が複数本収納可能にした。徳利保温及び燗用容器付き盆の形状を円形、楕円形、多角形、舟形など様々な形状にした。 
【手続補正５】
【補正対象書類名】明細書
【補正対象項目名】０００７
【補正方法】変更
【補正の内容】
【０００７】
【発明の効果】
以上説明したように本発明によれば、温泉などの風呂や露天風呂などで盆に徳利を、湯面が揺れても徳利は転倒することなく、しかも、保温と燗が出来る。
【手続補正書】
【提出日】平成16年6月18日(2004.6.18)
【手続補正１】
【補正対象書類名】明細書
【補正対象項目名】０００２
【補正方法】変更
【補正の内容】
【０００２】
【従来の技術】
従来，一端に塵挨を吸引する吸気口部，他端にハンドル部を配した操作竿と，空気とともに上記吸気口部より吸気した塵挨を集積する集塵部とを具備する電気掃除機として，上記集塵部を操作竿に摺動自在に設けたものが知られている（特開平２−７４２２５）。上記公知の電気掃除機では，吸気口部が操作竿の一端に係止され，塵挨を含む空気流を布袋で濾過して塵竣を除去する掃除機本体が，吸気路を形成する中空の操作竿３に摺動自在に係止されている。そして，床面を掃除する時には上記掃除機本体を上記操作竿上の吸気口部に近い場所に固定し，その位置で掃除を行う。また，スキマなどの掃除時には，掃除機本体を吸気口部より遠い位置，即ち操作竿の上端部に近い位置に移動させて，掃除機本体が周囲に千渉しないようにして吸気口部をスキマに挿入して掃除をするように構成されている。この従来例では，上記のような構成により，広い場所を掃除する通常の掃除時と，狭い場所を掃除する一時的な掃除時とで，掃除機本体の位置を変えうるようにして，操作の利便を図っている。